(57)【要約】【課題】            顔面を刺激することにより、脳機能の低下を予防、改善する方法を提供することを目的とする。【解決手段】        顔筋を刺激した後、リンパを刺激することにより、大きな脳血流変動を誘導することができ、加齢による高次脳機能の低下を予防し改善する。【選択図】          図１１
2015047403.tif 000002
【特許請求の範囲】
【請求項１】
顔面を刺激することにより、脳機能の低下を予防、改善する方法。
【請求項２】
脳機能が、高次脳機能である請求項１に記載した方法。
【請求項３】
高次脳機能が、認知、記憶、判断から選択される１種又は２種以上である請求項１又は請求項２に記載した方法。
【請求項４】
顔面の刺激がマッサージである、請求項１〜請求項３のいずれか１項に記載した方法。
【請求項５】
顔面の刺激が、リンパ管を刺激するものである、請求項１〜請求項４のいずれか１項に記載した方法。
【請求項６】
顔面の刺激が、顔筋を刺激するものである、請求項１〜請求項４のいずれか１項に記載した方法。
【請求項７】
顔面の刺激が、顔筋を刺激した後、リンパ管を刺激するものである、請求項１〜６のいずれか１項に記載した方法。
【発明の詳細な説明】
【技術分野】
【０００１】
顔面を刺激することにより、脳機能の低下を予防、改善する方法に関する。
【背景技術】
【０００２】
認知、記憶、判断などの高次脳機能は加齢により低下する傾向にあることが知られている。加齢による脳機能低下を予防し改善するためには、日常的に脳血流変動を伴う活動を行うことが有効であると考えられている（非特許文献１、２）。これまでに発明者らは高い心理的効果を有する、リンパを刺激するフェイシャルマッサージによって前頭前野（ＰＦＣ: prefrontal cortex）における脳血流が大きく変動し、この変動が加齢により減弱することを報告している（非特許文献３）。また、女性が日常的に行う化粧品を用いたスキンケア行為や単に頬をさするといった行為時においても、類似した変動が認められることを報告した（非特許文献４）。これらのことから、フェイシャルマッサージやスキンケア行為によってより大きな脳血流変動を誘導することができれば、加齢による高次脳機能の低下を予防し改善できる可能性があると考えられる。しかしながら、これまでフェイシャルマッサージ手技の違いによる脳血流変動の差について、また、より大きな変動を誘導する手技の組み合わせについて詳細な解析はなされていない。そのため本研究では、心理的な負荷なくPFCの脳血流変動を強く誘導する方法としてフェイシャルマッサージの可能性を検討した。
【先行技術文献】
【非特許文献】
【０００３】
【非特許文献１】J.M. Jennifer, S. Hayasaka and P.J. Laurienti, Frontiers in human neuroscience, 4, 16, 2010
【非特許文献２】H. Yanagisawa, I. Dan, D. Tsuzuki, M. Kato, M. Okamoto, Y. Kyutoku and H. Soya, Neuroimage, 50, 1702-10, 2010.
【非特許文献３】S. Kawaguchiya, K. Shingaki, K. Torii and M. Ito, 11th ASCS Conference, Bali, Indonesia, 23-25 April 2013.
【非特許文献４】K. Shingaki, Y. Yamaguchi, K. Torii and M. Ito, 27th IFSCC Congress, Johannesburg, South Africa, 15-18 October 2012.
【発明の開示】
【発明が解決しようとする課題】
【０００４】
これらのことから、フェイシャルマッサージやスキンケア行為によってより大きな脳血流変動を誘導することができれば、加齢による高次脳機能の低下を予防し改善できる可能性があると考えられる。しかしながら、これまでフェイシャルマッサージ手技の違いによる脳血流変動の差について、また、より大きな変動を誘導する手技の組み合わせについて詳細な解析はなされていない。そのため本研究では、心理的な負荷なくPFCの脳血流変動を強く誘導する方法としてフェイシャルマッサージの可能性を検討した。
【課題を解決するための手段】
【０００５】
本発明の第１の発明は、顔面を刺激することによる、脳機能の低下を予防、改善する方法である。
本発明の第２の発明は、脳機能が、高次脳機能である請求項１に記載した方法である。
本発明の第３の発明は、高次脳機能が、認知、記憶、判断から選択される１種又は２種以上である請求項１又は請求項２に記載した方法である。
本発明の第４の発明は、顔面の刺激がマッサージである、請求項１〜請求項３のいずれか１項に記載した方法である。
本発明の第５の発明は、顔面の刺激が、リンパを刺激するものである、請求項１〜請求項４のいずれか１項に記載した方法である。
本発明の第６の発明は、顔面の刺激が、顔筋を刺激するものである、請求項１〜請求項４のいずれか１項に記載した方法である。
本発明の第７の発明は、顔面の刺激が、顔面を刺激した後、リンパを刺激するものである、請求項１〜６のいずれか１項に記載した方法である。
【発明の効果】
【０００６】
本発明の方法は、脳機能の低下を予防、改善する効果を発揮する。
【図面の簡単な説明】
【０００７】
【図１】マッサージ手法１を示す図である。
【図２】マッサージ手法２を示す図である。
【図３】脳血流測定用ファイバの設置位置を示す図である。
【図４】条件１における右脳のＯｘｙＨｂ変化を示す図である。
【図５】条件１における左脳のＯｘｙＨｂ変化を示す図である。
【図６】条件２における右脳のＯｘｙＨｂ変化を示す図である。
【図７】条件２における左脳のＯｘｙＨｂ変化を示す図である。
【図８】条件３における右脳のＯｘｙＨｂ変化を示す図である。
【図９】条件３における左脳のＯｘｙＨｂ変化を示す図である。
【図１０】条件４における右脳のＯｘｙＨｂ変化を示す図である。
【図１１】条件４における左脳のＯｘｙＨｂ変化を示す図である。
【発明を実施するための形態】
【０００８】
以下本発明を実施するための形態を説明する。
【０００９】
本発明の第１の発明は、顔面を刺激することによる、脳機能の低下を予防、改善する方法である。
本発明において、脳機能とは、特に高次脳機能をさす。具体的には、言語や行為、知覚、認知、記憶、注意、判断、情動など脳で営まれる様々な機能であり、記憶や注意・遂行機能・情動の障害や、失語、失認、失行といった症状が現れる。
本発明は、高次脳機能として特に、認知機能、記憶機能、判断機能の低下を予防、改善する方法である。これらの、認知機能、記憶機能、判断機能は、加齢により低下することが知られており、高齢化が進む中、社会問題となっている。
本発明において、脳機能の低下を予防、改善する方法として、顔面を刺激する。顔面の刺激には、マッサージ、吸引、鍼灸等の方法をとり得るが、本発明においては、マッサージにより顔面を刺激することが好ましい。
マッサージは、単に顔面をマッサージするだけでもよいが、その効果の点から、マッサージ用オイルや、マッサージ用クリームを顔面に塗布した上でマッサージを行うことが好ましい。またその際、目的に応じて精油、香料等を用いることもできる。
マッサージ方法としては、皮膚直下を流れるリンパを刺激する方法、皮膚の下にある筋肉を刺激する方法、経穴を刺激する方法などがとり得る。本発明の目的を達成するためには、リンパを刺激する方法若しくは筋肉を刺激する方法が好ましく、さらには、顔筋を刺激した後リンパ管を刺激する方法が最も好ましい。
【実施例】
【００１０】
以下、実施例を示し、本発明を具体的に説明するが、本発明は下記の各例に何ら制限されるものではない。
【００１１】
［マッサージ手法１］リンパマッサージ（以下ＬＭと略する場合があります。）
リンパを刺激するマッサージ方法であり、図１に示したとおり、口角を出発点とし、左右同時に輪を描くように頬を情報に柔らかくマッサージし、最後にこめかみを軽く押さえる動作を所定時間繰り返す。
【００１２】
［マッサージ手法２］顔筋マッサージ（以下ＭＭと略す場合があります。）
顔面の筋肉である咬筋を刺激する方法であり、図２に示したとおり、頬部位の上中下３箇所を横方向に３往復ずつマッサージする同左を所定時間繰り返す。
【００１３】
［ｆＮＩＲ測定部位］
図３に示したとおり、下記の要領で測定位置を決定し、ｆＮＩＲ（島津製作所製）を用いて血流量の変化を測定した。
・鼻根と後頭結節を頭頂を通るように結ぶ線の中央と、左右の耳介前点を頭頂を通るように結ぶ線の中央が交差する部位（Cz）を決定。
・鼻根と後頭結節を結ぶ線の長さを100％として鼻根から10％Cz方向に移動した部位（Fpz）を決定。
・FpzからCz方向へ3 cm移動した位置をAとした場合に、FpzとAをそれぞれ右耳方向に3 cm移動させた位置、及び左耳方向に3 cm移動させた位置にファイバを配置し、ファイバ間の脳血流変化を計測した（図３参照）。
【００１４】
表１に示す手順で、表２に示したタスク(マッサージ)を行い、脳血流の変化を測定した。なお脳血流の変化値は、脳血流測定１と、同２の平均値算出し、脳血流変化値とし、そOxyHb変化量を図４〜１１に示す。
【００１５】
【表１】
2015047403.tif 000003
【００１６】
【表２】
2015047403.tif 000004
【００１７】
図４〜１１に示したとおり、本発明の顔面を刺激する方法により、前頭葉におけるOxyHbの血流量は大きく変化し、しかもその変化は概ね低下方向であることが示された。また、特に条件４に示した顔面を刺激することにより、前頭左脳のにおける血流量の変動が最も大きくなり、条件４において、脳機能低下予防、改善効果が期待された。
【図１】
2015047403.tif 000005
【図２】
2015047403.tif 000006
【図３】
2015047403.tif 000007
【図４】
2015047403.tif 000008
【図５】
2015047403.tif 000009
【図６】
2015047403.tif 000010
【図７】
2015047403.tif 000011
【図８】
2015047403.tif 000012
【図９】
2015047403.tif 000013
【図１０】
2015047403.tif 000014
【図１１】
2015047403.tif 000015